(57)【要約】【課題】携帯時、バッテリー等で駆動される表示装置およびそれを用いた携帯情報端末において、連続駆動時間を向上するにあたり、バッテリーの大容量化は体積、重量等の面で、端末の携帯性とのトレードオフとなっている。そこで、携帯性を犠牲にすることなく、長時間の連続駆動が可能な表示装置およびそれを用いた携帯情報端末を提供する。【解決手段】絶縁基板上にＴＦＴ群を形成して構成される表示装置において、ＲＦＩＤタグを一体形成する。一体形成されたＲＦＩＤタグが、リーダ・ライタからの信号を検波し、それを元にＤＣ電力を生成する。ＲＦＩＤタグが信号を検波している間は、生成された電源によって表示装置を駆動する。【選択図】図１
2006296187.tif 000002
【特許請求の範囲】
【請求項１】
並列接続されたコイルとキャパシタを有する共振回路と、
前記共振回路を共振状態とすることにより誘起される交流電力を整流して直流電力を生成する電源回路を有し、
前記電源回路から得られる直流電力を駆動電力として用いることを特徴とする携帯端末。
【請求項２】
マトリクス状に配置された複数の画素を制御して映像の表示を行う表示装置と、
第１の直流電力を供給するバッテリーを有し、
前記表示装置は、
並列接続されたコイルとキャパシタを有する共振回路と、
前記共振回路を共振状態とすることにより誘起される交流電力を整流して第２の直流電力を生成する電源回路を有し、
前記第１の直流電力又は前記第２の直流電力を、前記表示装置を構成する回路の一部又は全ての回路の駆動電力として用いることを特徴とする携帯端末。
【請求項３】
請求項２において、
前記表示装置は、前記第１の直流電力又は前記第２の直流電力を選択する選択回路を有し、
前記選択回路は、
前記共振回路が共振状態にないとき、前記第１の直流電力を選択し、
前記共振回路が共振状態にあるとき、前記第２の直流電力を選択することを特徴とする携帯端末。
【請求項４】
請求項２または請求項３において、
前記表示装置は、前記画素の制御を行うソースドライバおよびゲートドライバを有することを特徴とする携帯端末。
【請求項５】
請求項２乃至請求項４のいずれか一項において、
前記複数の画素、前記共振回路、および前記電源回路は、同一の絶縁基板上に形成されていることを特徴とする携帯端末。
【請求項６】
請求項３において、
前記複数の画素、前記共振回路、前記電源回路、および前記選択回路は、同一の絶縁基板上に形成されていることを特徴とする携帯端末。
【請求項７】
請求項４において、
前記複数の画素、前記共振回路、前記電源回路、前記選択回路、前記ソースドライバ及び前記ゲートドライバは、同一の絶縁基板上に形成されていることを特徴とする携帯端末。
【請求項８】
請求項２または請求項３において、
前記複数の画素、および前記電源回路は、薄膜トランジスタを有し、
ガラス又はプラスチックからなる絶縁基板上に設けられていることを特徴とする携帯端末。
【請求項９】
請求項３において、
前記複数の画素、前記電源回路、および前記選択回路は、薄膜トランジスタを有し、
ガラス又はプラスチックからなる絶縁基板上に設けられていることを特徴とする携帯端末。
【請求項１０】
請求項４において、
前記複数の画素、前記電源回路、前記選択回路、前記ソースドライバ及び前記ゲートドライバは、薄膜トランジスタを有し、
ガラス又はプラスチックからなる絶縁基板上に設けられていることを特徴とする携帯端末。
【請求項１１】
請求項１乃至請求項１０のいずれか一項において、
前記複数の画素は、液晶素子、あるいは自発光型素子を有すること特徴とする携帯端末。
【請求項１２】
第１の直流電力を供給する第１の電源と、
第２の直流電力を供給する第２の電源を有し、
前記第２の電源は、
並列接続されたコイルとキャパシタを有する共振回路と、
前記共振回路を共振状態とすることにより誘起される交流電力を整流して第２の直流電力を生成する電源回路を有し、
前記第１の直流電力又は前記第２の直流電力を駆動電力として用いることを特徴とする携帯端末。
【請求項１３】
請求項１２において、
前記第１の直流電力又は前記第２の直流電力を選択する選択回路を有し、
前記選択回路は、
前記共振回路が共振状態にないとき、前記第１の直流電力を選択し、
前記共振回路が共振状態にあるとき、前記第２の直流電力を選択することを特徴とする携帯端末。
【請求項１４】
請求項１２または請求項１３において、
前記第１の電源は直流電源装置またはバッテリーであることを特徴とする携帯端末。
【請求項１５】
マトリクス状に配置された複数の画素と、
並列接続されたコイルとキャパシタを有する共振回路と、
前記共振回路を共振状態とすることにより誘起される交流電力を整流して直流電力を生成する電源回路を有し、
前記電源回路から得られる直流電力を、駆動電力として用いることを特徴とする表示装置。
【請求項１６】
請求項１５において、
前記複数の画素の制御を行うソースドライバおよびゲートドライバを有することを特徴とする表示装置。
【請求項１７】
請求項１５又は請求項１６において、
前記複数の画素、前記共振回路、および前記電源回路は、同一の絶縁基板上に形成されていることを特徴とする表示装置。
【請求項１８】
請求項１６において、
前記複数の画素、前記共振回路、前記電源回路、前記ソースドライバ及び前記ゲートドライバは、同一の絶縁基板上に形成されていることを特徴とする表示装置。
【請求項１９】
請求項１５において、
前記複数の画素、および前記電源回路は、薄膜トランジスタを有し、
ガラス又はプラスチックからなる絶縁基板上に設けられていることを特徴とする表示装置。
【請求項２０】
請求項１６において、
前記複数の画素、前記電源回路、前記ソースドライバ及び前記ゲートドライバは、薄膜トランジスタを有し、
ガラス又はプラスチックからなる絶縁基板上に設けられていることを特徴とする表示装置。
【請求項２１】
マトリクス状に配置された複数の画素を制御して映像の表示を行う表示部と、
第１の直流電力を供給する第１の電源と、
第２の直流電力を供給する第２の電源を有し、
前記第２の電源は、
並列接続されたコイルとキャパシタを有する共振回路と、
前記共振回路を共振状態とすることにより誘起される交流電力を整流して第２の直流電力を生成する電源回路を有し、
前記第１の直流電力又は前記第２の直流電力を、表示部を構成する回路の一部又は全ての回路の駆動電力として用いることを特徴とする表示装置。
【請求項２２】
請求項２１において、
前記第１の直流電力又は前記第２の直流電力を選択する選択回路を有し、
前記選択回路は、
前記共振回路が共振状態にないとき、前記第１の直流電力を選択し、
前記共振回路が共振状態にあるとき、前記第２の直流電力を選択することを特徴とする表示装置。
【請求項２３】
請求項２１または請求項２２において、
前記第１の電源は直流電源装置またはバッテリーであることを特徴とする表示装置。
【請求項２４】
請求項１５乃至請求項２３のいずれか一項において、
前記複数の画素は、液晶素子、あるいは自発光型素子を有すること特徴とする表示装置。
【発明の詳細な説明】
【技術分野】
【０００１】
本発明は、表示装置、携帯端末に関する。具体的には、マトリクス状に配置された複数の画素を制御して映像の表示を行う表示装置を有する携帯端末に関する。より具体的には、絶縁基板上に設けられた複数の薄膜トランジスタを用いて映像の表示を行うフラットパネル型表示装置を有する携帯端末に関する。
【背景技術】
【０００２】
近年、ＲＦＩＤ（Ｒａｄｉｏ  Ｆｒｅｑｕｅｎｃｙ  Ｉｄｅｎｔｉｆｉｃａｔｉｏｎ）タグは、流通業界でバーコードに代わる商品識別・管理技術として、また、新たな個人認証手段として、研究開発が進められてきているが、それに留まらず社会のＩＴ化・自動化を推進する上での基盤技術として注目が高まっている（特許文献１参照）。ＲＦＩＤタグは、ＲＦチップ、ＲＦタグ、ＩＣ（Ｉｎｔｅｇｒａｔｅｄ  Ｃｉｒｃｕｉｔ）チップ、ＩＣタグ、無線チップ、無線タグ、電子チップ、電子タグ、無線プロセッサ、無線メモリ等とも呼ばれる。
【０００３】
ＲＦＩＤタグの特徴としては、タグに用いられているＩＣチップにアンテナを設け、リーダ・ライタによる非接触通信が可能な点や、従来の認証手段として代表的なバーコードが、１つ１つをリーダでスキャンすることによる直接的な読み取りが必要であるのに対し、複数の対象物の認証作業を同時に実行出来る点等が挙げられる。
【０００４】
さらに、ＲＦＩＤタグには、それ自体が電源を持たず、リーダ・ライタより発信される電波をアンテナ部分で検波し、それを元に直流（以下ＤＣ（Ｄｉｒｅｃｔ  Ｃｕｒｒｅｎｔ）と表記）電力を生成して動作することが可能なものが存在する。
【０００５】
ところで、携帯電話機、ＰＤＡ（Ｐｅｒｓｏｎａｌ  Ｄｉｇｉｔａｌ  Ａｓｓｉｓｔａｎｔ）等をはじめとした携帯端末は、携帯の利便性から、さらなる軽量化、小型化が求められている。そのため、携帯端末の各部を構成する部品は、さらにその体積の縮小が必要となっている。インターフェイス部分となる表示装置には、ガラスやプラスチック等でなる絶縁基板上に設けられた複数の薄膜トランジスタ（ＴＦＴ、Ｔｈｉｎ  Ｆｉｌｍ  Ｔｒａｎｓｉｓｔｏｒ）を用いて回路を構成するフラットパネル型ディスプレイが主に採用されている。
【０００６】
さらに、携帯端末自体の高機能化により、携帯した状態で出来る事の幅が広がってきているため、従来に比べてより長時間の連続駆動が求められている。
【特許文献１】特公昭６２−４３２３８号公報
【発明の開示】
【発明が解決しようとする課題】
【０００７】
携帯端末の連続駆動時間を向上させるには、携帯端末を構成する部品それぞれの低消費電力化と、バッテリーの大容量化の実現が挙げられる。前者においては、駆動電圧の低下、ソフトウェア制御により、こまめに待機モードを設けて電力消費を抑制する等といった対策が既にとられている。しかし、後者においては、バッテリーの大容量化を実現しようとすると、バッテリーの体積が増大してしまうため、前述した小型化、軽量化とのトレードオフになってしまう。
【０００８】
本発明は、前述の課題を鑑み、連続駆動時間を向上させた携帯端末の提供を目的とする。また、本発明は、連続駆動時間を向上させ、なおかつ小型化、軽量化を実現させた携帯端末の提供を目的とする。
【課題を解決するための手段】
【０００９】
本発明は、絶縁基板上に、表示装置の駆動回路を構成するＴＦＴ群を形成する工程において、同時にＲＦＩＤタグの機能部分もＴＦＴ群によって構成する。ここで、表示装置を構成するＴＦＴ群と、ＲＦＩＤタグの機能部分を構成するＴＦＴ群は、基本的に同様の構成のＴＦＴとして良く、工程を簡略化することができる。
【００１０】
表示装置に一体形成されたＲＦＩＤタグは、リーダ・ライタに近づけられると、ＲＦＩＤタグ内のアンテナがリーダ・ライタからの信号を検波する。そして、ＲＦＩＤタグの機能部分に含まれる電源回路は、リーダ・ライタから検波した信号を用いて、ＤＣ電力を生成する。表示装置は、生成されたＤＣ電力によって駆動される。
【００１１】
また、表示装置への電力供給は、例えばＡＣ（Ａｌｔｅｒｎａｔｉｎｇ  Ｃｕｒｒｅｎｔ）アダプタ等を介して家庭用電源等から電力を供給する方法、内蔵バッテリーから電力を供給する方法、そしてＲＦＩＤタグによって生成される電力を供給する方法等がある。リーダ・ライタからの信号を検波し、ＲＦＩＤタグがアクティブになると、ＲＦＩＤタグが電源の切り替え信号を発し、この切り替え信号により表示装置への電力供給が、ＡＣアダプタ（直流電源装置）もしくはバッテリーから、ＲＦＩＤタグの電源回路へと切り替わる。リーダ・ライタからの信号が届かない場所に移ると、再び前述のＡＣアダプタ、もしくはバッテリーからの電力供給へと切り替わる。
【００１２】
なお、ＡＣアダプタ（直流電源装置）等を介して家庭用電源等から電源を供給する場合と、バッテリーから電源を供給する場合の切り替えに関しては、多くの携帯端末で行われており、ここでは特に方法については記載しない。従来の方法に従って、適宜切り替えが行われれば良い。
【００１３】
本発明の携帯端末は、並列接続されたコイルとキャパシタを有する共振回路と、共振回路を共振状態とすることにより誘起される交流電力を整流して直流電力を生成する電源回路を有し、電源回路から得られる直流電力を駆動電力として用いる。
【００１４】
本発明の表示装置は、マトリクス状に配置された複数の画素を制御して映像の表示を行うものである。並列接続されたコイルとキャパシタを有する共振回路と、共振回路を共振状態とすることにより誘起される交流電力を整流して直流電力を生成する電源回路を有し、電源回路から得られる直流電力を、表示装置を構成する回路の一部又は全ての回路の駆動電力として用いる。
【００１５】
本発明の携帯端末は、マトリクス状に配置された複数の画素を制御して映像の表示を行う表示装置（表示部）と、第１の直流電力を供給するバッテリーを有し、表示装置は、並列接続されたコイルとキャパシタを有する共振回路と、共振回路を共振状態とすることにより誘起される交流電力を整流して第２の直流電力を生成する電源回路を有し、第１の直流電力もしくは第２の直流電力を、表示装置を構成する回路の一部又は全ての回路の駆動電力として用いることを特徴とする。
【００１６】
本発明の携帯端末は、第１の直流電力を供給する第１の電源と第２の直流電力を供給する第２の電源を有し、第２の電源は、並列接続されたコイルとキャパシタを有する共振回路と、共振回路を共振状態とすることにより誘起される交流電力を整流して第２の直流電力を生成する電源回路を有し、第１の直流電力又は第２の直流電力を駆動電力として用いることを特徴とする。マトリクス状に配置された複数の画素を制御して映像の表示を行う画素部を有していてもよい。
【００１７】
本発明の表示装置は、マトリクス状に配置された複数の画素を制御して映像の表示を行う表示部と、第１の直流電力を供給するバッテリーと、並列接続されたコイルとキャパシタを有する共振回路と、共振回路を共振状態とすることにより誘起される交流電力を整流して第２の直流電力を生成する電源回路を有し、第１の直流電力又は第２の直流電力を、表示部を構成する回路の一部又は全ての回路の駆動電力として用いることを特徴とする。
【００１８】
本発明の表示装置は、マトリクス状に配置された複数の画素を制御して映像の表示を行う表示部と、第１の直流電力を供給する第１の電源と、第２の直流電力を供給する第２の電源を有し、第２の電源は、並列接続されたコイルとキャパシタを有する共振回路と、共振回路を共振状態とすることにより誘起される交流電力を整流して第２の直流電力を生成する電源回路を有し、第１の直流電力又は第２の直流電力を、表示部を構成する回路の一部又は全ての回路の駆動電力として用いることを特徴とする。
【００１９】
上記構成を有する本発明において、表示装置は、第１の直流電力もしくは第２の直流電力を選択する選択回路を有する。そして、選択回路は、共振回路が共振状態にないとき、第１の直流電力を選択し、共振回路が共振状態にあるとき、第２の直流電力を選択する。また、第１の電源はＡＣアダプタ（直流電源装置）またはバッテリーであっても良く、第１の直流電流はＡＣアダプタ（直流電源装置）またはバッテリーから供給されるものであってもよい。ここで電源とは、電力を発生する源のみを指すのではなく、装置に対して電力を与える手段となるものを含めるものとする。つまり、ＡＣアダプタ（直流電源装置）は、本発明でいう電源である。
【００２０】
本発明において、表示装置は、複数の画素の制御を行うソースドライバおよびゲートドライバを有することを特徴とする。
【００２１】
本発明において、複数の画素、共振回路、および電源回路は、同一の絶縁基板上に形成されていることを特徴とする。
【００２２】
本発明において、複数の画素、共振回路、電源回路、および選択回路は、同一の絶縁基板上に形成されていることを特徴とする。
【００２３】
本発明において、複数の画素、共振回路、電源回路、選択回路、ソースドライバ及びゲートドライバは、同一の絶縁基板上に形成されていることを特徴とする。
【００２４】
本発明において、複数の画素、および電源回路は、ガラス又はプラスチックからなる絶縁基板上に設けられた薄膜トランジスタを有することを特徴とする。
【００２５】
本発明において、複数の画素、電源回路、および選択回路は、ガラス又はプラスチックからなる絶縁基板上に設けられた薄膜トランジスタを有することを特徴とする。
【００２６】
本発明において、複数の画素、電源回路、選択回路、ソースドライバ及びゲートドライバは、ガラス又はプラスチックからなる絶縁基板上に設けられた薄膜トランジスタを有することを特徴とする。
【００２７】
本発明において、複数の画素は、液晶素子、あるいは自発光型素子を有すること特徴とする。
【発明の効果】
【００２８】
従来は、携帯時の電源供給を限られた容量のバッテリーにのみ依存していたが、本発明により、ＲＦＩＤタグ用リーダ・ライタの信号の検波が可能な範囲であれば、任意の場所での電源供給が可能となり、ひいては携帯端末、表示装置の駆動時間の向上が期待出来る。また、バッテリーを搭載しない構成とすることにより、携帯端末を非常に小型化することができる。
【００２９】
また、本発明は、携帯端末、表示装置への電源供給および、切り替え動作等を行うことに主眼をおいている。すなわち、一般的なＲＦＩＤタグの場合、登録された特定のリーダ・ライタとの信号のやりとりによってのみ、その用を為すのに対し、本発明においては、不特定のリーダ・ライタから出力される信号を検波することによって、電源の生成が可能であるため、様々な施設において活用出来る。無論、本発明記載の用途と並行して、端末の認証等を行っても構わない。
【００３０】
さらに、画像を表示する画素部とＲＦＩＤタグを同一基板上に一体形成することにより、部品点数の削減を実現し、携帯端末の小型化、軽量化をも実現出来る。
【発明を実施するための最良の形態】
【００３１】
本発明の一実施形態を、図１を参照して説明する。携帯端末１０１は、主に表示装置１０２と、バッテリー１１１を有する。表示装置１０２は、表示部１０３ａと、ＲＦＩＤタグ１０３ｂとを有する。ＲＦＩＤタグ１０３ｂは、電源回路１０５、選択回路を含む機能部分１０６および、並列接続されたコイル１０７とキャパシタ１０８を有する共振回路でなるアンテナを有する。ここで、機能部分１０６とは、認証用の情報が格納されているメモリや、リーダ・ライタのアンテナへ出力する信号の生成といった演算処理を行う論理回路等が形成されているものを指す。また、表示部１０３ａの駆動電源であるＶＤＤ、ＶＳＳ（特に電位は明記しない。ＶＳＳは、例えば接地電位）の供給源を、電源回路１０５もしくはバッテリー１１１のいずれかから選択するスイッチ１０９、スイッチ１１０を有する。スイッチ１０９、スイッチ１１０は、機能部分１０６に含まれる選択回路によって制御される。スイッチ１０９、スイッチ１１０は、駆動電源ＶＤＤ、ＶＳＳの供給源を、電源回路１０５もしくはバッテリー１１１のいずれかから選択する。１０４は、リーダ・ライタ側に設けられたアンテナである。
【００３２】
ここで、スイッチ１０９、スイッチ１１０については特にその構成を問わないが、２つの入力端子と、出力端子と、制御端子を有し、機能部分１０６に含まれる選択回路からの信号を制御端子に入力することにより、２つの入力端子のいずれか一方を選択して、出力端子と短絡する機能を有する。
【００３３】
ＲＦＩＤタグ１０３ｂを有する表示装置１０２が、リーダ・ライタ側のアンテナ１０４の信号１２０を検波しうる領域２０１（図２（Ａ）中、斜線で示している領域とする）に入ると、並列接続されたコイル１０７とキャパシタ１０８を有する並列共振回路が共振状態となり、並列共振回路の両端、すなわちコイル１０７およびキャパシタ１０８が並列接続されている両端の端子間にはＡＣ電力が誘起される。その後、整流回路、キャパシタ等を有する電源回路１０５は、共振回路において誘起されたＡＣ電力をＤＣ電力に変換、生成する。
【００３４】
続いて、生成されたＤＣ電力を元に、ＲＦＩＤタグの機能部分１０６が駆動される。機能部分１０６に含まれる選択回路は、スイッチ１０９、スイッチ１１０を制御して、表示部１０３ａに、生成されたＤＣ電力を供給する。並列共振回路が共振状態にある限り、上記の状態を保ち、継続してＤＣ電力が生成され、表示装置１０２は生成されたＤＣ電力により駆動される。
【００３５】
その後、ＲＦＩＤタグ１０３ｂを有する表示装置１０２が、リーダ・ライタ側のアンテナ１０４の信号１２０を検波しうる領域２０１（図２（Ｂ）中、斜線で示している領域とする）から外れると、並列共振回路における共振が止み、電源回路１０５、機能部分１０６が動作を停止する。このとき、機能部分１０６に含まれる選択回路が制御していたスイッチ１０９、スイッチ１１０については、制御端子が浮遊状態となりうる。ＲＦＩＤタグ１０３ｂが機能を停止した後は、バッテリー１１１からの電源供給を確保する必要がある。好適な例としては、ＲＦＩＤタグ１０３ｂが機能を停止すると共に、これらのスイッチ１０９、スイッチ１１０の制御端子、すなわち機能部分１０６に含まれる選択回路の出力端子がＶＳＳ側に固定されるような構成を設けておくのが好ましい。具体的には、機能部分１０６に含まれる選択回路の出力端子と、ＶＳＳ電位との間に高抵抗を挿入しておく方法がある。また、機能部分１０６で使用されるＶＤＤ側電源部が、電源回路１０５からの電源供給が停止したとき、ＶＳＳ側電源の電位と同電位となるようにしておく方法等が考えられる。機能部分１０６が動作している時は、選択回路の出力端子から、スイッチ１０９、スイッチ１１０を制御する信号が出力され、機能部分１０６の動作が停止し、選択回路の出力端子が浮遊状態になると、前述の構成によって、機能部分１０６に含まれる選択回路の出力端子の電位が自ずとＶＳＳ側に固定される。この状態となったとき、表示部１０３ａへの電源供給がバッテリー１１１から行われるように構成しておけば良い。
【００３６】
また、本発明においては、第１の電力供給源としてＲＦＩＤタグ１０３ｂが生成するＤＣ電力を、第２の電力供給源として、バッテリー１１１を挙げているが、第１の電力供給源のみで駆動されるように構成されていても良い。この場合は、機能部分１０６に含まれる選択回路は不要であり、また、リーダ・ライタ側のアンテナ１０４の信号を検波しうる領域においてのみ、端末の使用が可能である。
【００３７】
なお、ＲＦＩＤタグ１０３ｂが含む電源回路１０５は、リーダ・ライタからの信号を検波して電力を生成するが、その電力は、表示装置１０２の駆動に十分な電力を供給出来るのが好ましい。一般的に、１３．５６ＭＨｚ帯を用いるＲＦＩＤタグにおいて、電源回路の出力は、ＲＦＩＤタグに設けられた機能部分の駆動電力として数ｍＷ〜１０数ｍＷ程度を考慮しているとされている。よって、ＴＦＴの特性ばらつきや変換効率等を考慮すると、表示装置１０２として、消費電力が全体的に小さい反射型の液晶表示装置を用いるのが好ましい。
【００３８】
また、表示装置１０２として、透過型液晶表示装置や、ＥＬ（Ｅｌｅｃｔｒｏ  Ｌｕｍｉｎｅｓｃｅｎｃｅ）素子等を用いた自発光型の表示装置を用いる場合は、バックライトやＥＬ素子での電力消費が比較的大きい。したがって、表示装置１０２のドライバ部分の駆動にのみ、前述の方法により生成された電源を用い、バックライトやＥＬ素子への電力供給は、常に固定電源もしくはバッテリーを用いるようにしても良い。その場合は、特に図示しないが、前述のスイッチ１０９、スイッチ１１０を経由せず、別系統の電力供給経路を設ける必要がある。
【００３９】
本実施の形態では、ＲＦＩＤタグに設けられた電源回路が生成出来る電力がそれほど大きくないことを考慮し、表示装置の第２の電力供給源としてバッテリーを用いる方法を例示したが、携帯端末を構成する他の機能部品の駆動に同様の技術を用いることも可能である。
【実施例１】
【００４０】
本発明の携帯端末が有する表示装置の詳細な構成について、図３を用いて説明する。ガラス、あるいはプラスチック等でなる絶縁基板３０１上に、ＴＦＴと、液晶素子あるいはＥＬ素子等の表示素子を有する画素がマトリクス状に配置された画素部３０２が設けられ、その周辺には、画素部３０２内の各画素を駆動するためのソースドライバ３０３、ゲートドライバ３０４が設けられている。画素部３０２、ソースドライバ３０３、ゲートドライバ３０４は、図１においては表示部１０３ａに属する。また、ＲＦＩＤタグ３０５は、画素部３０２、ソースドライバ３０３、ゲートドライバ３０４に比べて回路配置形状の自由度が高いため、前述の回路群を配置した余白の領域に設ければ良い。これらの回路への信号の入出力や、バッテリー等の外部電源からの電源供給の際には、例えばフレキシブルプリント基板（ＦＰＣ、Ｆｌｅｘｉｂｌｅ  Ｐｒｉｎｔ  Ｃｉｒｃｕｉｔ）３０６を介して行えば良い。
【００４１】
また、ここでは特に図示していないが、絶縁基板３０１上には、液晶素子あるいはＥＬ素子の封止のための対向基板が貼り付けられる。対向基板に関しては、表示部を構成する素子によるが、対向基板側から光を取り出す必要がある場合には透過性の基板が必要であり、特に対向基板側から光を取り出さない場合、具体的には、例えばボトムエミッション型のＥＬ素子を用いている場合等には、金属製の封止缶を用いても良い。
【００４２】
加えて、ＲＦＩＤタグ側のアンテナを構成するコイル、キャパシタの構成については、図４（Ａ）に示すとおり、絶縁基板３０１上に、画素部３０２、ソースドライバ３０３、ゲートドライバ３０４、ＲＦＩＤタグ３０５と同時に、コイル４０１、キャパシタ（図示せず）を一体形成しても良い。ただし、コイル、キャパシタのサイズは、共振周波数によって異なる。さらに絶縁基板上に薄膜を形成することによってキャパシタを構成する場合、大容量化するには相当の面積を必要とする。この点はコイルの引き回し面積についても同様であるので、一体形成による基板面積の増大が問題となる場合（具体的には、例えば、本発明の表示装置を適用する対象となる電子機器の筐体が小さく、額縁縮小が要求される場合等）には、図４（Ｂ）に示すように、別体の基板上にコイル４０１、キャパシタ４０２等を実装し、ＦＰＣ３０６を介してＲＦＩＤタグ３０５と接続するようにしても良い。
【実施例２】
【００４３】
本発明の適用例について、図５を参照して説明する。一般の施設等に設置されているテーブル５０１の、例えば天板内部に、リーダ・ライタのアンテナ５０２を内蔵しておく。そして、利用者が携帯端末５０３をテーブル上に置くと、携帯端末５０３内のアンテナが、テーブル５０１側のリーダ・ライタのアンテナ５０２から出力されている信号を検波し、携帯端末５０３内の電源回路がアクティブとなる。利用者が席についた状態で携帯端末５０３を使用している間は、携帯端末５０３内の電源回路によって生成されるＤＣ電力により、携帯端末５０３内の表示装置を駆動することが出来る。
【００４４】
なお、このような使用環境を考えた場合、ＲＦＩＤタグの本来の機能である認証機能を用いて、例えばオフィス等で携帯端末を使用する際、上記のとおり電源供給を行うと同時に、ＩＤによる認証を行うようにするといった用途も考えられる。認証情報は、例えばＬＡＮ等に携帯端末を接続したときの、オフィス内のコンピュータのディスクアクセス権限の管理等、有用な用途は多岐にわたる。
【００４５】
また、図５（Ｂ）に示すように、電子ブック、映像ビューア、ミュージックプレーヤ等の用途を想定すると、電子ブック、映像ビューア、ミュージックプレーヤ等の携帯端末５１１側に、リーダ・ライタとしての機能を設けておき、レシーバ５１２側には、ＲＦＩＤタグ５１３を内蔵する。電子ブック、映像ビューア、ミュージックプレーヤ等の携帯端末５１１側に設けられたリーダ・ライタのアンテナの信号５２０を、レシーバ５１２が検波出来る状態にあれば、本発明の同様の手法により、レシーバ５１２を駆動するための電源をＲＦＩＤタグ５１３部分で生成することが出来る。
【００４６】
さらに、図５（Ｃ）に示すように、複数のユーザがそれぞれレシーバ５１２を持ち、１台の電子ブック、映像ビューア、ミュージックプレーヤ等の携帯端末５１１に保存されたデータの再生等を行う場合、レシーバ５１２のそれぞれに設けられたＲＦＩＤタグ５１３に、個別のＩＤを付与しておき、電子ブック、映像ビューア、ミュージックプレーヤ等の携帯端末５１１側のリーダ・ライタによってＩＤを読み込んだ際、各ユーザが設定した再生リスト等を取り出し、それに従ってデータの読み出し順序の変更が行えるようにしても良い。各ユーザは、１台の電子ブック、映像ビューア、ミュージックプレーヤ等の携帯端末５１１から、それぞれ好みのコンテンツを利用することが可能となる。
【００４７】
なお、本発明にて用いているＲＦＩＤタグは、特に周波数帯の規格等につき限定するものではない。ＲＦＩＤの周波数帯には、長波帯（１２５ｋＨｚ等）、短波帯（１３．５６ＭＨｚ等）、超短波帯（９００ＭＨｚ前後等）、マイクロ波帯（２．４５ＧＨｚ等）と、様々な規格があるが、いずれの規格に合致させても本発明の本質は変わらない。周波数帯によって、普及している分野、通信距離、指向性等に長所短所があるため、用途に合わせた規格を採用すれば良い。
【図面の簡単な説明】
【００４８】
【図１】本発明の一実施形態を示す図。
【図２】本発明の一実施形態における動作を説明する図。
【図３】本発明の実施例を示す図。
【図４】本発明の実施例を示す図。
【図５】本発明の実施例を示す図。
【符号の説明】
【００４９】
１０１  携帯端末
１０２  表示装置
１０３ａ  表示部
１０３ｂ  ＲＦＩＤタグ
１０４  アンテナ
１０５  電源回路
１０６  機能部分
１０７  コイル
１０８  キャパシタ
１０９  スイッチ
１１０  スイッチ
１１１  バッテリー
３０１  絶縁基板
３０２  画素部
３０３  ソースドライバ
３０４  ゲートドライバ
３０５  ＲＦＩＤタグ
４０１  コイル
４０２  キャパシタ
５０２  アンテナ
５０３  携帯端末
５１１  電子ブック、映像ビューア、ミュージックプレーヤ等の携帯端末
５１２  レシーバ
５１３  ＲＦＩＤタグ
【図１】
2006296187.tif 000003
【図２】
2006296187.tif 000004
【図３】
2006296187.tif 000005
【図４】
2006296187.tif 000006
【図５】
2006296187.tif 000007